(57)【特許請求の範囲】
【請求項１】
円形の蓋体であって、上面の半径方向の一端に外周壁を一体に形成して注ぎ口とし、かつ該注ぎ口の底面に出水孔を穿設するとともに、同じく上面に収納室と、フック部とが形成された蓋本体と、
一端を該蓋本体に軸支した押圧レバーを具える押圧部と、
ピストンと、第１弾性部材と、第２弾性部材とを含んでなり、該ピストンを該蓋本体の収納室に摺動自在に挿入し、該第１弾性部材を該押圧部の押圧レバーと該ピストンとの間に介在させ、該第２弾性部材を該蓋本体に形成した収納室の内壁と該ピストンの外周面との間に設けてなる弾性手段と、
一端を該蓋本体の底面に固定し、他端に該蓋本体に形成した該出水口を閉塞する止水部材を設けるとともに、該ピストンの下端に連結する止水部と、によってなることを特徴とする水容器の蓋。
【請求項２】
前記蓋本体の収納室内に、該第２弾性部材の下端が当接するスペーサを設けることを特徴とする請求項１に水容器の蓋。
【請求項３】
前記蓋本体の収納室の内壁に段差部を形成し、該段差部を形成した位置にパッキングを設けることを特徴とする請求項１に記載の水容器の蓋。
【請求項４】
前記フック部の先端に係合部を形成し、前記押圧レバーの一端に該フック部の先端に形成した係合部に対応する係合溝を形成し、該フック部の係合部と、該押圧レバーの係合溝とが係合することによって該フック部の開放部が閉鎖され、環状を呈するように構成することを特徴とする請求項１に記載の水容器の蓋。
【請求項５】
前記蓋本体の下面に柱状の連結突起を複数形成し、かつ前記止水部の該連結突起に対応する位置に複数の取付孔を穿設し、該柱状連結部を該取付孔に嵌合させて該止水部の一端を該蓋本体に固定することを特徴とする請求項１に記載の水容器の蓋。
【請求項６】
前記押圧部の押圧レバーには、下方から連結桿の一端を軸支し、該連結桿の他端に連結座を軸支し、該連結座が該第１弾性部材に当接するように構成することを特徴とする請求項１に記載の水容器の蓋。
【請求項７】
前記ピストンの上面の中心点から軸線方向に沿って収納溝を形成し、該収納溝に第１弾性部材を設けることを特徴とする請求項１に記載の水容器の蓋。
【請求項８】
前記ピストンの上端に、該第２弾性部材の上端が当接する突縁を一体に形成することを特徴とする請求項１に記載の水容器の蓋。
【請求項９】
前記ピストンの下端に連結部を形成し、該止水部の底面中央であって、該ピストン下端の該係合部に対応する位置に係合孔を穿設し、該係合孔に該ピストンの下端に形成した該連結部を係止して、該ピストンと該止水部とを連結することを特徴とする請求項１に記載の水容器の蓋。
【請求項１０】
前記蓋本体の出水孔を閉塞する止水部材に軟質のシリコンラバーによってなるパッキングを設けることを特徴とする請求項１に記載の水容器の蓋。
【請求項１１】
前記第２弾性部材弾力が前記第１弾性部材よりも大きいことを特徴とする請求項１に記載の水容器の蓋。
【発明の詳細な説明】
【技術分野】
【０００１】
この発明は、蓋に関し、特に水などの液体を入れて携帯するために使用する水筒などの水容器の蓋に関する。
【背景技術】
【０００２】
人は皆、体内に十分な水分を維持するために毎日適宜な量の水分を摂取しなければならない。
【０００３】
水筒などの水容器は、好きなときにいつでも飲むことができるように液体の飲料、飲料水を入れて使用する。
【０００４】
特に飲用者が外出、或いは山登り、ロッククライミング、スキー、ハイキング、オートバイに乗り遠出など戸外で運動する場合には、水筒などの水容器に水を入れておけば、すぐに飲用できて水分を補給するために便利である。
【０００５】
従来の水筒などの水容器は、基本的に飲料水を入れるための収納空間を内部に形成する。さらに上端の注ぎ口に蓋体を設けて内部の水を出したり、出ないようにしたりする。
【０００６】
係る水筒などの水容器を使用する場合には、少なくとも次の二つの点について考慮しなければならない。
【０００７】
一つ目は、内部の水を出したり、出ないようにしたりする操作を如何にして制御し、使用上の利便性を高めるか、また水を飲むという動作を容易に行うことができるか、という点である。  
【０００８】
二つ目は、水筒などの水容器を携帯する場合、手に持つことを如何にして減少させるか、そして例えばバックパック、自転車、ベルト、木の枝などに容易に掛けることができるようにするなど、如何にして携帯に便利なように改良するか、という点である。  
【０００９】
例えば、特許公開２０００−１４４４６公報に開示される水筒は、吊下げベルトを用いているが、吊下げベルトでは、肩にかけるなどして携帯するのに便利であるが、任意の箇所に掛止することができない。また、同公報に開示される水筒は、吊下げベルトの取付け構造の改良であって、蓋に関して言えば、従来のとおり上端の注ぎ口を蓋、栓などで塞いでいるだけで、何ら特別の改良が施されているとはいえない。
【先行技術文献】
【特許文献】
【００１０】
特許公開２０００−１４４４６公報
【発明の概要】
【発明が解決しようとする課題】
【００１１】
この発明は、水容器に取付ける蓋であって、簡易な動作で水を注ぎ口から出すことができ、かつ容易に該水容器を他の物品に掛止することができ、水容器の携帯に便利な水容器の蓋を提供することを課題とする。
【課題を解決するための手段】
【００１２】
そこで、本発明の発明者は従来の技術に見られる欠点に鑑みて鋭意研究を重ねた結果、水容器に取付ける円形の蓋本体と、該蓋本体に設ける押圧部と、弾性手段と、止水部とによってなる水容器の蓋であって、該蓋本体の上面の半径方向の一端に外周壁を一体に形成して注ぎ口とし、かつ該注ぎ口の底面に出水孔を穿設するとともに、同じく上面に収納室と、フック部とを形成し、該押圧部は一端を該蓋本体に軸支した押圧レバーを具え、該弾性手段はピストンと、第１弾性部材と、第２弾性部材とを含んでなり、該ピストンを該蓋本体の収納室に摺動自在に挿入し、該第１弾性部材を該押圧部の押圧レバーと該ピストンとの間に介在させ、該第２弾性部材を該蓋本体に形成した収納室の内壁と該ピストンの外周面との間に設けてなり、該止水部は一端を該蓋本体の底面に固定し、他端に該蓋本体に形成した該出水口を閉塞する止水部材を設けるとともに、該ピストンの下端に連結する止水部を具えてなる水容器の蓋の構造によって課題を解決できる点に着眼し、かかる知見に基づいて本発明を完成させた。
【００１３】
以下、この発明について具体的に説明する。
請求項１に記載する水容器の蓋は  円形の蓋体であって、上面の半径方向の一端に外周壁を一体に形成して注ぎ口とし、かつ該注ぎ口の底面に出水孔を穿設するとともに、同じく上面に収納室と、フック部とが形成された蓋本体と、一端を該蓋本体に軸支した押圧レバーを具える押圧部と、  ピストンと第１弾性部材と第２弾性部材とを含んでなり、該ピストンを該蓋本体の収納室に摺動自在に挿入し、該第１弾性部材を該押圧部の押圧レバーと該ピストンとの間に介在させ、該第２弾性部材を該蓋本体に形成した収納室の内壁と該ピストンの外周面との間に設けてなる弾性手段と、一端を該蓋本体の底面に固定し、他端に該蓋本体に形成した該出水口を閉塞する止水部材を設けるとともに、該ピストンの下端に連結する止水部と、によってなる。
【００１４】
請求項２に記載する水容器の蓋は、請求項１における蓋本体の収納室内に、該第２弾性部材の下端が当接するスペーサを設ける。
【００１５】
請求項３に記載する水容器の蓋は、請求項１における蓋本体の収納室の内壁に段差部を形成し、該段差部を形成した位置にパッキングを設ける。該パッキングを設けることによって該ピストンの下端と該収納室との緊密な接触を保持することができ、さらに、前述の如くスペーサを更に設けることによって、該第２弾性部材の下端が直接パッキングに接触して圧迫することを防ぐことができる。よって、パッキングの使用寿命を延長することができる。
【００１６】
請求項４に記載する水容器の蓋は、請求項１におけるフック部の先端に係合部を形成し、前記押圧レバーの一端に該フック部の先端に形成した係合部に対応する係合溝を形成し、該フック部の係合部と、該押圧レバーの係合溝とが係合することによって該フック部の開放部が閉鎖され、環状を呈するように構成する。かかる構成のフック部を利用して水容器を任意の物品に掛止することができ、かつ随時掛止を解除して取り外すことができる。
【００１７】
請求項５に記載する水容器の蓋は、請求項１における蓋本体の下面に柱状の連結突起を複数形成し、かつ前記止水部の該連結突起に対応する位置に複数の取付孔を穿設し、該柱状連結部を該取付孔に嵌合させて該止水部の一端を該蓋本体に固定する。よって、該止水部の一端が蓋本体の下面に固定されることから、該止水部材が該蓋本体の出水口を閉塞、開放する動作を確実に行うことができるようになる。
【００１８】
請求項６に記載する水容器の蓋は、請求項１における押圧部の押圧レバーには、下方から連結桿の一端を軸支し、該連結桿の他端に連結座を軸支し、該連結座が該第１弾性部材に当接するように構成する。係る構成によれば、該押圧レバーを押し圧すると、連動して該第１部材を下方に圧縮することができるようになる。
【００１９】
請求項７に記載する水容器の蓋は、請求項１におけるピストンの上面の中心点から軸線方向に沿って収納溝を形成し、該収納溝に第１弾性部材を設ける。
【００２０】
請求項８に記載する水容器の蓋は、請求項１におけるピストンの上端に、該第２弾性部材の上端が当接する突縁を一体に形成する。
【００２１】
請求項９に記載する水容器の蓋は、請求項１におけるピストンの下端に連結部を形成し、該止水部の底面中央であって、該ピストン下端の該係合部に対応する位置に係合孔を穿設し、該係合孔に該ピストンの下端に形成した該連結部を係止して、該ピストンと該止水部とを連結する。
【００２２】
請求項１０に記載する水容器の蓋は、請求項１における蓋本体の出水孔を閉塞する止水部材に軟質のシリコンラバーによってなるパッキングを設ける。
【００２３】
請求項１１に記載のする水容器の蓋は、請求項１における第２弾性部材弾力が該第１弾性部材よりも大きい。
よって、前記押圧レバーを押し圧することによって、前記弾性部材が二段階の動作を行うようになる。
【発明の効果】
【００２４】
この発明による水容器の蓋は、水容器を任意の物品に掛止することができ、かつ随時掛止を解除して取り外すことができ、かつ簡易な操作で水容器に入れた水などを出すことができる。よって、水容器の携帯に便利で、使用する上で取扱いやすいという効果を具える。
【図面の簡単な説明】
【００２５】
【図１】この発明による水容器の蓋の構造を示した分解図である。
【図２】この発明による水容器の蓋の構造を示した説明図である。
【図３】この発明による水容器の蓋の構造を示した断面図である。
【図４】この発明における押圧レバーを押し圧して発生させる第１段階の動作を示した説明図である。
【図５】図４に開示する動作を示した断面説明図である。
【図６】この発明による水容器の蓋の使用態様の一例を示した説明図である。
【図７】この発明における押圧レバーを更に押し圧して発生させる第２段階の動作を示した説明図である。
【図８】図７に開示する状態を示した断面説明図である。
【図９】この発明による水容器の蓋を使用態様の一例を示した他の説明図である。
【発明を実施するための最良の形態】
【００２６】
この発明は、水容器を任意の物品に掛止することができ、かつ随時掛止を解除して取り外すことができ、かつ簡易な操作で水容器に入れた水などを出すことができる水容器の蓋を提供するものであって、円形の蓋体であって、上面の半径方向の一端に外周壁を一体に形成して注ぎ口とし、かつ該注ぎ口の底面に出水孔を穿設するとともに、同じく上面に収納室と、フック部とが形成された蓋本体と、一端を該蓋本体に軸支した押圧レバーを具える押圧部と、  ピストンと第１弾性部材と第２弾性部材とを含んでなり、該ピストンを該蓋本体の収納室に摺動自在に挿入し、該第１弾性部材を該押圧部の押圧レバーと該ピストンとの間に介在させ、該第２弾性部材を該蓋本体に形成した収納室の内壁と該ピストンの外周面との間に設けてなる弾性手段と、一端を該蓋本体の底面に固定し、他端に該蓋本体に形成した該出水口を閉塞する止水部材を設けるとともに、該ピストンの下端に連結する止水部と、によって構成する。かかる水容器の蓋の構造と特徴を詳述するために具体的な実施例を挙げ、図示を参照にして以下に説明する。
【実施例】
【００２７】
この発明による蓋は、図４に開示するように容器９０に螺設して使用する。また、この発明による蓋は、図１から３に開示するように、円形の蓋本体１０と、押圧部２０と、水を注いだり、水が出ないようにしたりする動作を制御する弾性手段３０と、弾性手段３０に連動する止水部４０と、によってなる。
【００２８】
押圧部２０を押し圧すると、弾性手段３０が連動して下方に移動する。弾性手段３０が下方に移動する動作は二段階に分けられ、押し圧手段２０が継続して更に深く押し圧される第２の段階に至ると、止水部４０が下方に押し圧されて、容器９０内の水を注ぐことができるようになる。
【００２９】
図２、３、４に開示するように、蓋本体１０の側面内壁には、容器９０の上端外周面に螺刻したネジ山に対応するネジ山１１を螺刻し、対応する両ネジ山によって蓋本体１０を容器９０に螺設する。
【００３０】
該蓋本体１０は、上面の半径方向の一端に外周壁を一体に形成して注ぎ口１２とし、注ぎ口１２の底面には出水孔１２１を穿設する。容器９０に収納した水は出水孔１２１から注ぎ口１２を経て外部に出る。
【００３１】
注ぎ口１２を形成する外周壁には、押圧部２０を取付けるためのＵ字状の支持突起部１２２を一体に形成する。
【００３２】
また、蓋本体１０の上面には、弾性手段３０を収納する収納室１３を形成し、図３に開示するように収納室１３は内壁に段差部１３１を形成する。
【００３３】
また、蓋本体１０の上面外周の注ぎ口１２に対向する位置にフック部１４を一体に形成する。フック部１４は、側面視略鉤状をなし、先端部には、押圧部２０に連結する係合部１４１を形成する。
【００３４】
さらに、蓋本体１０の下面には、止水部４０を取付けるための柱状の連結突起１５を複数形成する。
【００３５】
押圧部２０は、押圧レバー２１を具える。押圧レバー２１の一端にはフック部１４の先端に形成した係合部１４１に対応する係合溝２１１を形成する。押圧部２０とフック部１４とは、係合溝２１１と係合部１４１とが係合することによって着脱自在に連結する。
【００３６】
押圧レバー２１は、支軸２１２を介して、係合溝２１１を形成する一端に対向する側のもう一端を蓋本体１０の支持突起部１２２に軸支する。
【００３７】
また、押圧レバー２１は、支軸２１２を設ける位置に近接した箇所に軸ピン２１３を介して、下方から連結桿２２の一端を軸支し、連結桿２２の他端は軸ピン２２１を介して連結座２３を軸支する。
【００３８】
連結座２３は、蓋本体１０の収納室１３内に摺動自在に設けられ、図３に開示するように、押圧レバー２１が下方に向かって押圧されると、連結桿２２が連動して連結座２３を下方に押圧し、連結座２３が下方に移動する。
【００３９】
弾性手段３０は、ピストン３１と、圧縮バネである第１弾性部材３２と、圧縮バネである第２弾性部材３３と、環状のスペーサ３４と、環状のパッキング３５と、によって構成する。
【００４０】
ピストン３１は、収納室１３内に摺動自在に挿入し、かつ下端が収納室１３を通過して蓋本体１０の下面から突出するように設ける。
【００４１】
ピストン３１は、上面の中心点から軸線方向に沿って収納溝３１１を形成し、収納溝３１１には第１弾性部材３２を設ける。第１弾性部材３１１は上端がピストン３１の上面から突出するように設け、かつ第１弾性部材３１１の上端は連結座２３に連結する。
【００４２】
押圧レバー２１が上方から押し圧を受けない状態において、押圧レバー２１は第１弾性部材３２の弾力によって押し上げられ、所定の位置に保持される。即ち、図３に開示するように、押圧レバー２１の係合端Ａがフック部１４に係合し、フック部１４の開放部が閉鎖して環状を呈する。
【００４３】
ピストン３１は上端に突縁３１２を一体に形成し、かつ下端に皿状の頭部を具える連結部３１３を一体に形成する。
【００４４】
ピストン３１は突縁３１２が収納室１３の内壁に当接するため、ピストン３１の外周面と、収納室１３の内壁との間に若干の距離を有した状態となる。また、ピストン３１を第２弾性部材３３に挿設して、第２弾性部材２２をピストン３１の外周面と収納室１３の内壁との間に位置させる。さらに、収納室１３に形成した段差部１３１にはスペーサ３４とパッキング３５とを設ける。
【００４５】
上述の如く構成することによって、第２弾性部材３３は、上端がピストン３１の突?３１２に当接し、下端がスペーサ３４に当接する。
【００４６】
さらに、第２弾性部材３３の弾性によって、ピストン３１は所定の位置に保持される。
【００４７】
パッキング３５は水漏れを防ぐ作用を有し、蓋本体１０のピストン３１の下端が収納室１３を通過して下面から突出する箇所において緊密な接触状態を保持するように設けられる。また、スペーサ３４を設けることによって、第２弾性部材３が直接パッキング３５に接触し、かつ圧迫することを防ぐため、パッキング３５の作用を確保することができ、かつパッキング３５の使用寿命を延長することができる。
【００４８】
図４に開示するように、上述する第１弾性部材３２、第２弾性部材３３は、いずれも容器９０に収納した飲料水に接触しない。よって、金属錆、もしくは油などを含んだ不純物が容器９０内の飲料水に混入し、かつ使用者がこれらの混入した水を飲むことが発生しない。
【００４９】
また、第２弾性部材３３の弾力は、第１弾性部材３２よりも大きくする。よって、押圧レバー２１を上方から押し圧すると、押圧レバー２１は一端が支軸２１２によって軸支されることから、係合端Ａが下方に移動する。この移動の動作は二段階に分けられる。即ち、第１段階において、第１弾性部材３２のみが圧縮され、ピストン３１は下方に移動しない。
【００５０】
よって、図４に開示するように、押圧レバー２１の係合端Ａとフック１４部との係合が解除され、フック部１４の閉鎖が開放された状態となる。
【００５１】
押圧レバー２１を更に押し圧すると、第２段階の動作が発生する。即ち、第２弾性部材３３が圧縮され、ピストン３１が連動して下方に移動し、止水部４０による出水孔１２１の閉鎖が開放される。
【００５２】
止水部４０は、弾性を有する材質によってなり、縦断面がコの字を９０度回転させて開口部を上面にした形に近い形状を呈し、底面中央であって、かつピストン３１の下端に形成した連結部３１３に対応する位置に係合孔４１を穿設する。係合孔４１には、ピストン３１の連結部３１３を係止して、ピストン３１と止水部４０とを連結する。
【００５３】
止水部４０は、フック部１４に近い一端であって、蓋本体１０の下面に形成した柱状連結部１５に対応する位置に複数の取付孔４２１を穿設し、柱状の連結突起１５を取付孔４２１に嵌合して止水部４０の一端を蓋本体１０に固定する。
【００５４】
止水部４０は一端を蓋本体１０に連結し、他端には止水部材４３を設ける。
【００５５】
止水部材４３には、食品用器具、容器の基準に適い、耐熱性を具え、かつ軟質のシリコンラバーなどの材質によるパッキング４３１を設ける。パッキング４３１は、出水孔１２１を緊密に閉塞して水漏れを防ぐ作用を具える。
【００５６】
図４、図５に開示するように、容器９０に螺設した本発明による蓋を使用する場合、押圧レバー２１を押し圧すると第１段階の動作が発生する。
【００５７】
即ち、第１段階においては、押圧レバー２１の係合溝２１１がフック部１４との係合位置から外れる。この状態において、押圧レバー２１とフック部１４とが係合して環状を呈する閉鎖状態が開放される。よって、例えば図６に開示するように、使用者はフック部１４の開放部からフック部１４をバックパック８０に引掛けて、もしくは自転車、木の枝などに引掛けて容器９０を掛止することができる。
【００５８】
この発明による蓋は、例えば図面に開示する容器９０などの水を収納して携帯する容器に取付けて用い、フック部１４の開放部から環状の物品にフック部１４を引掛けて容器９０を掛止する場合、軟性、硬性を問わず、外径が１０ｍｍ以下の何なる物品にも掛止することができる。
【００５９】
使用者が容器９０を掛止した物品から外して水筒として使用する場合も、同様に簡易な動作で行うことができ便利である。
【００６０】
この場合、押圧レバー２１に連動して連結桿２２が第１弾性部材３２を下方に押し圧し、第１弾性部材は弾性エネルギーによる回復力が蓄積される。
【００６１】
但し、前記の状態において、ピストン３１と第２弾性部材３３とは、まだ押し圧されていなく、よって、止水部４０は止水した状態を保持し、蓋本体１０の出水孔１２１からは水が漏れない。
【００６２】
次いで、押圧レバー２１への押し圧を解除すると、第１弾性部材３２の付勢力によって押圧レバー２１は本来の位置に復帰する。
【００６３】
即ち、押圧レバー２１がフック部１４と係合し、フック部１４の開放部が閉鎖して環状を呈する。よって、予期せずフック部１４が外れて、容器９０の掛止が解除されることを防ぐ。
【００６４】
図７、図８に開示するように、押圧レバー２１をさらに継続して押し圧すると、第２の段階の動作が発生する。即ち、第２弾性部材が圧縮されて弾性エネルギーによる回復力が蓄積される。また連結桿２２と連結座２３とがピストン３１を押し圧して下降させる。
【００６５】
ピストン３１が下降すると、止水部４０はピストン３１によって下方に押し圧される。この場合、止水部４０は弾性を有する材質によってなり、かつ図８に開示するように、図面でいう右側が蓋本体１０の下面に固定されていることから、図面でいう左側に設けた止水部材４３が注ぎ口１２の出水孔１２１から離れ、図９に開示するように、容器９０内の水を注ぐことができるようになる。
【００６６】
上述するように。容器９０内の水を注ぐことができるようになってから、押圧レバー２１への押し圧を解除すると、第１弾性部材３２と、第２弾性部材３３との付勢力によって、押圧レバー２１が本来の位置に復帰する。
【００６７】
以上をまとめると、この発明による水容器の蓋は、蓋本体１０に押圧部２０と、弾性手段３０と、止水部４０とを設けてなり、押圧部２０を押圧すると、二段階の動作が発生し、第１の段階で蓋本体１０に形成したフック部１４を利用して水容器９０を他の物品に掛止するか、もしくは掛止を解除して取り外すことができ、第２の段階において水容器９０内の水を注ぐことができる。このように、簡易な操作で任意の箇所に水容器９０を掛止することができ、かつ簡易な操作で水を注ぐことができ、使用上の利便性を具える。
【００６８】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【符号の説明】
【００６９】
１０ 蓋本体
１１ ネジ山
１２ 注ぎ口
１２１ 出水孔
１２２ 支持突起部
１３ 収納室
１３１ 段差部
１４ フック部
１４１ 係合部
１５ 連結突起
２０ 押圧部
２１ 押圧レバー
２１１ 係合溝
２１２ 枢軸
２１３ 軸ピン
２２ 連結桿
２２１ 軸ピン
２３ 連結座
３０ 弾性手段
３１ ピストン
３１１ 収納溝
３１２ 突縁
３１３ 連結部
３２ 第１弾性部材
３３ 第２弾性部材
３４ スペーサ
３５ パッキング
４０ 止水部
４１ 係合孔
４２ 接続板
４２１ 取付孔
４３ 止水部材
４３１ パッキング
８０ バックパック
９０ 容器
Ａ 係合端
【図１】
0004958946.tif 000002
【図２】
0004958946.tif 000003
【図３】
0004958946.tif 000004
【図４】
0004958946.tif 000005
【図５】
0004958946.tif 000006
【図６】
0004958946.tif 000007
【図７】
0004958946.tif 000008
【図８】
0004958946.tif 000009
【図９】
0004958946.tif 000010